(57)【要約】【課題】  マットのずれを確実に防止するためのマット用ずれ止め装置を提供することである。【解決手段】  重ね合わされた２枚の矩形の合成樹脂材料製のシート（１０ａ、１０ｂ）の対向した第１両縁（１０ｅ、１０ｆ）を開放した状態のまま、第１両縁と直交する対向した第２両縁（１０ｃ、１０ｄ）を接合することによって形成してなり、シートをマットの裏面に接触するように配置し、或いはマットの裏面に接着して配置するように構成されていることを特徴とするマット用ずれ止め装置（１０）が提供される。【選択図】  図１
0003182960.tif 000002
【実用新案登録請求の範囲】
【請求項１】
マット用ずれ止め装置であって、
重ね合わされた２枚の矩形の合成樹脂材料製のシートの対向した第１両縁を開放した状態のまま、前記第１両縁と直交する対向した第２両縁を接合することによって形成してなり、
前記シートをマットの裏面に接触するように配置し、或いはマットの裏面に接着して配置するように構成されていることを特徴とする装置。
【請求項２】
マット用ずれ止め装置であって、
重ね合わされた２枚の矩形の合成樹脂材料製のシートの対向した第１両縁の一部を開放した状態のまま、前記第１両縁と直交する対向した第２両縁を接合することによって形成してなり、
前記シートをマットの裏面に接触するように配置し、或いはマットの裏面に接着して配置するように構成されていることを特徴とする装置。
【請求項３】
マット用ずれ止め装置であって、
１枚の矩形の合成樹脂材料製のシートを重ね合わせ、その両縁を接合することによって形成してなり、
前記シートをマットの裏面に接触するように配置し、或いはマットの裏面に接着して配置するように構成されていることを特徴とする装置。
【請求項４】
マット用ずれ止め装置であって、
重ね合わされた２枚の矩形の合成樹脂材料製のシートの対向した第１両縁及び前記第１両縁と直交する対向した第２両縁を接合することによって形成してなり、
前記第１両縁に複数の穴が設けられており、
前記シートをマットの裏面に接触するように配置し、或いはマットの裏面に接着して配置するように構成されていることを特徴とする装置。
【考案の詳細な説明】
【技術分野】
【０００１】
本考案は、マットが滑ったりずれたりするのを防止するためのマット用ずれ止め装置に関する。本考案が適用対象とするマットは、玄関や浴室等の居住領域の所望箇所に敷かれるマットの他、オフィスビルやホテル等の出入口、エレベータの出入口等に敷かれるマットのような、床面に敷かれる全てのマットを包含するものである。
【背景技術】
【０００２】
種々の出入口の床面にマットが敷かれる例が数多く見られる。このようなマットは、人の出入り時に踏まれるため、ずれやすいという特性がある。しかしながら、マットがずれると美観上好ましくないため、マットのずれを防止するための種々の工夫がなされている。従来のマットのずれ止めは基本的に、マットの裏面にゴム等のへり付けをしたり、マットの裏面に凹凸を設けたりするものが主流であった。
【考案の概要】
【考案が解決しようとする課題】
【０００３】
しかしながら、マット裏面にへり付けをしたり凹凸を設けたりしても、必ずしも確実にずれを防止できていないのが現状である。また、マットが定位置からずれるという事態は、美観が損なわれるだけでなく、歩行者の安全という点からも問題がある。
【０００４】
本考案は、このような状況に鑑みて開発されたものであって、マットのずれを確実に防止するためのマット用ずれ止め装置を提供することを目的としている。
【課題を解決するための手段】
【０００５】
本願請求項１に記載のマット用ずれ止め装置は、重ね合わされた２枚の矩形の合成樹脂材料製のシートの対向した第１両縁を開放した状態のまま、前記第１両縁と直交する対向した第２両縁を接合することによって形成してなり、前記シートをマットの裏面に接触するように配置し、或いはマットの裏面に接着して配置するように構成されていることを特徴とするものである。
【０００６】
本願請求項２に記載のマット用ずれ止め装置は、重ね合わされた２枚の矩形の合成樹脂材料製のシートの対向した第１両縁の一部を開放した状態のまま、前記第１両縁と直交する対向した第２両縁を接合することによって形成してなり、前記シートをマットの裏面に接触するように配置し、或いはマットの裏面に接着して配置するように構成されていることを特徴とするものである。
【０００７】
本願請求項３に記載のマット用ずれ止め装置は、１枚の矩形の合成樹脂材料製のシートを重ね合わせ、その両縁を接合することによって形成してなり、前記シートをマットの裏面に接触するように配置し、或いはマットの裏面に接着して配置するように構成されていることを特徴とするものである。
【０００８】
本願請求項４に記載のマット用ずれ止め装置は、重ね合わされた２枚の矩形の合成樹脂材料製のシートの対向した第１両縁及び前記第１両縁と直交する対向した第２両縁を接合することによって形成してなり、前記第１両縁に複数の穴が設けられており、前記シートをマットの裏面に接触するように配置し、或いはマットの裏面に接着して配置するように構成されていることを特徴とするものである。
【考案の効果】
【０００９】
本考案のマット用ずれ止め装置によれば、シート内部の空気を抜いてマットをずらそうとする力を軽減するとともに、二重構造により力を分散させることができるので、マットのずれを確実に防止することができる。本考案の装置は、構造がきわめて簡単であるため、製造コストが安価であり、特段の維持管理を必要としないため、メンテナンスコストも低廉である。また、本考案の装置は、衝撃を緩和させることを利用して、一種の免震装置として使用することも期待される。
【００１０】
本考案の装置は、玄関や浴室等の居住領域の所望箇所、オフィスビルやホテル等の出入口、エレベータの出入口等に敷かれるマットのような、広範なマットに対して使用することができる。
【図面の簡単な説明】
【００１１】
【図１】図１（ａ）は、本考案の第１の実施形態に係るマット用ずれ止め装置の斜視図、図１（ｂ）は、図１（ａ）のマット用ずれ止め装置の変形形態を示した斜視図である。
【図２】図２（ａ）は、本考案の第２の実施形態に係るマット用ずれ止め装置の斜視図、図２（ｂ）は、図２（ａ）のマット用ずれ止め装置の形状を明瞭に示すため、内部を膨らませた状態で示した斜視図である。
【図３】本考案の第３の実施形態に係るマット用ずれ止め装置の斜視図である。
【図４】本考案のマット用ずれ止め装置の使用形態を説明するための図である。
【図５】図５（ａ）は、図１（ａ）のマット用ずれ止め装置がマットの裏面に配置されている状態を示した図、図５（ｂ）は、図５（ａ）の線５ｂ−５ｂに沿って見た図、図５（ｃ）は、図５（ｂ）の部分５ｃの拡大図である。
【考案を実施するための形態】
【００１２】
次に添付図面を参照して、本考案の好ましい実施の形態に係るマット用ずれ止め装置について詳細に説明する。図１（ａ）は、本考案の第１の実施形態に係るマット用ずれ止め装置１０を示した斜視図である。
【００１３】
マット用ずれ止め装置１０は、重ね合わされた２枚の矩形の合成樹脂材料製のシート１０ａ、１０ｂの対向した第１両縁１０ｅ、１０ｆを開放した状態のまま、第１両縁１０ｅ、１０ｆと直交する対向した第２両縁１０ｃ、１０ｄを接合することによって形成してなるものである。
【００１４】
図１（ｂ）は、マット用ずれ止め装置１０の変形形態に係るマット用ずれ止め装置２０を示した斜視図である。マット用ずれ止め装置２０は、第１両縁２０ｅ、２０ｆの一部のみ（２０ｅ１、２０ｆ１）が開放している点を除いて、マット用ずれ止め装置１０と実質的に同一の構成を有している。
【００１５】
すなわち、マット用ずれ止め装置２０は、重ね合わされた２枚の矩形の合成樹脂材料製のシート２０ａ、２０ｂの対向した第１両縁２０ｅ、２０ｆの一部を開放した状態のまま、第１両縁２０ｅ、２０ｆと直交する対向した第２両縁２０ｃ、２０ｄを接合することによって形成してなるものである。
【００１６】
図２（ａ）は、第２の実施形態に係るマット用ずれ止め装置３０を示した図である。マット用ずれ止め装置３０は、１枚の矩形の合成樹脂材料製のシート３０ａを重ね合わせ、両縁３０ｂを接合することによって形成してなるものである。図２（ｂ）は、マット用ずれ止め装置２０の形状を明瞭に示すため、内部を膨らませた状態で示した斜視図である。マット用ずれ止め装置３０は、内部を膨らませると、円筒状の形態となる。
【００１７】
図３は、第３の実施形態に係るマット用ずれ止め装置４０を示した図である。マット用ずれ止め装置４０は、両縁の全部又は一部を開放した状態にする代わりに、当該両縁に複数の穴４０ｅ、４０ｆを設けた点を除いて、マット用ずれ止め装置１０、２０、３０と実質的に同一の構成を有している。
【００１８】
マット用ずれ止め装置１０、２０、３０、４０において、シート１０ａ、１０ｂ、２０ａ、２０ｂ、３０ａ、４０ａ、４０ｂを形成する合成樹脂材料は、ビニル等の公知の材料を使用してよい。また、マット用ずれ止め装置１０、２０、３０、４０における両縁１０ｃ、１０ｄ、両縁２０ｃ、２０ｄ、両縁３０ｂ、両縁４０ｃ、４０ｄの接合は、例えばヒートシール等の公知の手段によって行われる。
【００１９】
マット用ずれ止め装置１０、２０、３０、４０は、マットの裏面に接触するように配置し、或いはマットの裏面に接着剤で接着して配置するようにして使用される。
【００２０】
次に、以上のように構成されたマット用ずれ止め装置の使用について説明する。図４（ａ）及び（ｂ）には、マット用ずれ止め装置１０がマット裏面に配置されている状態が示されている。図４（ａ）において、人がマットの手前側から向こう側に歩行するものとする。当該歩行者がマットを踏むと、マット用ずれ止め装置１０に力Ｆ1 が作用する。すると、マット用ずれ止め装置１０の向こう側の開口部からシート１０ａ、１０ｂ内の空気がＰ1 で示されるように放出され、これによりマットをずらそうとする力が軽減されることとなる。図４（ｂ）は、人がマットの向こう側から手前側に歩行する状態を示したものである。この場合には、マット用ずれ止め装置１０に力Ｆ2 が作用し、マットずれ止め装置１０の手前側の開口部からシート１０ａ、１０ｂ内の空気が放出される（Ｐ2 参照）ことにより、マットをずらそうとする力が軽減される。また、マット用ずれ止め装置１０がシート１０ａ、１０ｂの二重構造から構成されているため、外力（歩行者が踏む力）が分散され、これによってもマットをずらそうとする力が軽減される。
【００２１】
マット用ずれ止め装置２０、３０、４０についても、マット用ずれ止め装置１０と同様に作動する。
【００２２】
本考案は、以上の考案の実施の形態に限定されることなく、実用新案登録請求の範囲に記載された考案の範囲内で、種々の変更が可能であり、それらも本考案の範囲内に包含されるものであることはいうまでもない。
【００２３】
以上の実施形態において、本考案の装置をマットのずれ止め用として説明してきたが、本考案の装置が力を分散させて衝撃を緩和させることに着目して、一種の免震装置として使用することも期待される。
【００２４】
また、たとえば、図示されたシートの形状や寸法は、単なる例示的なものであり、図示された以外の形状や寸法のものを使用してもよい。
【符号の説明】
【００２５】
１０  マット用ずれ止め防止装置（第１の実施形態）
１０ａ、１０ｂ  シート
１０ｃ、１０ｄ  接合された縁（第２両縁）
１０ｅ、１０ｆ  開放した縁（第１両縁）
２０  マット用ずれ止め防止装置（第１の実施形態の変形形態）
２０ａ、２０ｂ  シート
２０ｃ、２０ｄ  接合された縁（第２両縁）
２０ｅ１、２０ｆ１  開放した縁（第１両縁）
３０  マット用ずれ止め防止装置（第２の実施形態）
３０ａ  シート
３０ｂ  接合された縁
３０ｃ、３０ｄ  開放した縁
４０  マット用ずれ止め防止装置（第３の実施形態）
４０ａ、４０ｂ  シート
４０ｃ、４０ｄ  接合された縁
４０ｅ、４０ｆ  穴
【図１】
0003182960.tif 000003
【図２】
0003182960.tif 000004
【図３】
0003182960.tif 000005
【図４】
0003182960.tif 000006
【図５】
0003182960.tif 000007